(57)【要約】      （修正有） 【課題】インデックスを兼ねた掛止片を構造および掛止圧を強化したクリアファイルを新規に提供する。【解決手段】クリアファイル７に設けるインデックスを兼ねた掛止片１０ａをクリアファイル７の開放側端縁に張り出し延長する部分のクリアファイル側に折り返し重ねすることとウェルダー溶着９とにより形成し、またはクリアファイルと同質材にてなる裁断片をクリアファイル７の開放端縁に当て重ねてウェルダー溶着９を形成し、掛止片１０ａを折損等が生じない構造にすること、および書類等を掛止する掛止圧を強化して書類等のクリアファイルからの抜け出しを防止するように構成して課題を達成する。【選択図】図１
0003183118.tif 000002
【実用新案登録請求の範囲】
【請求項１】
クリアファイルの開放側端縁に設けるインデックスを兼ねた掛止片を折損等による脱落を防止するとともに書類等の掛止圧の弱さを解消するために、クリアファイルの開放側端縁に延長部を設け、該延長部をクリアファイル側への折り返し重ねとウェルダー溶着とにより構造および書類等の掛止圧を強化して形成するようにしたことを特徴とするクリアファイル。
【請求項２】
インデックスを兼ねた掛止片はクリアファイルと同質部材の裁断片をクリアファイルの開放側端縁に重ねウェルダー溶着して形成する請求項１に記載のクリアファイル。
【請求項３】
インデックスを兼ねた掛止片はクリアファイルが３枚等の複数枚にて構成する場合は表面を除く各面に折り返しを含む重ねとウェルダー溶着とにより形成する請求項１または２に記載のクリアファイル。
【請求項４】
インデックスを兼ねた掛止片はクリアファイルの開放側の垂直端縁，水平端縁のいずれかに１乃至複数個にて形成する請求項１乃至３のいずれかに記載のクリアファイル。
【請求項５】
インデックスを兼ねた掛止片は広告，模様等の印刷面および書込み可能な余白面を有して形成する請求項１乃至４のいずれかに記載のクリアファイル。
【考案の詳細な説明】
【技術分野】
【０００１】
この考案はクリアファイル、詳しくはクリアファイルに設けるインデックスを兼ねた掛止片構造に関するものある。
【背景技術】
【０００２】
この種のクリアファイルとしては登録実用新案第３１７６９４３号公報がある。該公報は表面シート１の外側の垂直縁８に縦長の凹部９を設け、背面シート２の外側の垂直縁８の同位置に掛止片１０を切込み形成して、書類等を挟み入れたあと掛止片１０を切込みから押し出して表面シート１の凹部９に嵌合しロックしてクリアファイル内に挟み入れた書類等を掛止してクリアファイルから抜け出さないようにすることを記載している。
【特許文献１】登録実用新案第３１７６９４３号公報
【考案の開示】
【考案が解決しようとする課題】
【０００３】
しかしながら、該公報は切込み囲みから掛止片１０を押し出す構成によって、掛止片は１枚構成のため簡単に折損して脱落してしまうという課題がある。また書類等の掛止圧が弱く緩慢なため、書類等がクリアファイルから抜け出すという課題がある。
【課題を解決するための手段】
【０００４】
本考案は、インデックスを兼ねる掛止片をクリアファイルの開放側端縁に設ける延長部を折り返し重ねしてウェルダー溶着し、またはクリアファイルと同質にてなる裁断片をクリアファイルの開放側端縁に当て重ねてウェルダー溶着により掛止片の構造および書類等の掛止圧を強化して、かかる課題を解決するようにしたのである。
【考案の効果】
【０００５】
本考案は、クリアファイルの開放側端縁の延長部の折り返し重ねとウェルダー溶着、または裁断片の当て重ねとウェルダー溶着によって掛止片を形成するので、掛止片は構造が強化されることで折損等による脱落が解消し、また書類等を掛止する掛止圧が増大して書類等がクリアファイルより抜け出すことを確実に防止するという効果を生ずる。
【０００６】
掛止片を裁断片の当て重ねにより形成するときは、掛止片にクリアファイルと異なる印刷面を有せしめることができるという効果を生ずる。
【図面の簡単な説明】
【０００７】
【図１】第１実施例で、延長部の折り返し重ね前の状態と、掛止片を形成した状態を示す斜視図
【図２】同質の裁断片を当て重ねする前の状態と、掛止片を形成した状態を示す斜視図
【図３】（ａ）は掛止片で書類を掛止した状態の斜視図、（ｂ）は同、表面シートの外端を挟み止めた状態を示す斜視図
【図４】裁断片の形状と印刷面の形成例を示す斜視図
【図５】（ａ）は延長部の折り返し部を若干外方にずらしてウェルダー溶着した例を示す斜視図、（ｂ）は同、張り出し幅を大きくしてインデックスシールを貼付した例を示す斜視図
【図６】縦長形の掛止片の形成例を示す斜視図
【図７】（ａ）は掛止片を上下２段において形成した例を示す斜視図、（ｂ）は一方の掛止片にて書類を押え、他方の掛止片にて表面シートを掛止した状態を示す斜視図
【図８】同、２段の掛止片間に連結片を設けた例を示す斜視図
【図９】掛止片の長さを垂直端縁の全長にして且つ幅広に形成した例を示す斜視図
【図１０】ポケット掛止片を形成した例で、形成前の展開状態と、掛止片を形成したマリアファイルを示す斜視図
【図１１】表，背面シート間に中間シートを挟入固定して、背面シートと中間シートに掛止片をずらし形成した第２実施例を示す斜視図
【図１２】上側の水平端縁に掛止片を形成した第３実施例で、（ａ）は書類を掛止した状態、（ｂ）は表面シートの外端を挟み止めた状態を示す斜視図
【考案を実施するための形態】
【０００８】
本考案は、クリアファイルに設けるインデックスを兼ねた掛止片をクリアファイルの開放側端縁に張り出し延長する部分のクリアファイル側に折り返し重ねしてウェルダー溶着し、またはクリアファイルと同質の裁断片をクリアファイルの開放側端縁の内側に当て重ねウェルダー溶着して形成して、インデックスを兼ねた掛止片の構造を強化して折損等が生じないようにするとともに書類等を掛止する掛止圧が増強されるようにする。
【実施例１】
【０００９】
図１は本考案の第１実施例であって、硬直且つ弾撥性能を有すポリプロピレン等のプラスチックシートにて表面シート１と背面シート２とからなり、両シート１，２は内側の下角３を挟んでつながっていて外側の対角をなす上角４を挟む上側の水平端縁５と外側の垂直端縁６を開放して書類等を出し入れ自在とするクリアファイル７を形成する。
【００１０】
背面シート２の開放された垂直端縁６より外方に張り出す延長部８を設け、延長部８を垂直端縁６内に折り返し重ねして、その一部である折り返し基端側をウェルダー溶着９して、以ってインデックスを兼ねた掛止片１０ａを形成する。
【００１１】
図２はクリアファイル７と同質の裁断片１０を背面シート２の垂直端縁６に沿う内側に当て重ね、その一部である垂直端縁６側をウェルダー溶着９して、以ってインデックスを兼ねた掛止片１０ｂを形成する。
【００１２】
以上によりインデックスを兼ねた掛止片１０ａおよび１０ｂは二重の重ねとウェルダー溶着とにより構造が強化されて、折損等による脱落が一切生じないものとなる。
【００１３】
さらに掛止片１０ａ，１０ｂはウェルダー溶着９した部分をもとに開放内端の閉じ付勢が増大することにより、図３（ａ）に示すようにクリアファイル７内の書類Ｓを強力に掛止してクリアファイル７より抜け出すことを確実に防止することとなる。なお掛止片１０ａ，１０ｂは図３（ｂ）に示すようにクリアファイル７の表面シート１の外端も挟み止めてみだりに展開しないようにすることもできる。
【００１４】
なお、掛止片１０ｂをクリアファイルと同質の裁断片１０ａにて形成するときは図４に示すように形状の多様化とクリアファイルとは異なる印刷面を有せしめることができることとなる。
【００１５】
また、図５（ａ）に示すように垂直端縁６より外方に張り出す延長部８の折り返し部を若干外方にずらしてウェルダー溶着９することでクリアファイル７の表，背面シート１，２の開放側の垂直端縁６を揃え合わせしやすくすることができる。さらに図５（ｂ）に示すようにウェルダー溶着９部分を大きくすることで貼付するインデックスシール１１をクリアファイル７より張り出させて見やすいインデックスとすることができることとなる。
【００１６】
図６はインデックスを兼ねた掛止片１０ａ，１０ｂを縦長形に形成したもので、閉じ付勢圧がより増大するほか、インデックス面を広くすることができる。
図７は掛止片１０ａ，１０ｂを間隔を置いた上下２段に形成したもので、図７（ｂ）に示すように一方の掛止片１０ａ，１０ｂを書類Ｓの押えとし他方の掛止片１０ａ，１０ｂを表面シート１の挟み止めのように使用することができる。
図８は前記２段の掛止片１０ａ，１０ｂ間に連結片１０ｃを設けて２つの掛止片を１つにしてウェルダー溶着９の作業をしやすくしたものである。
図９は掛止片１０ａ，１０ｂを垂直端縁６と同長にするとともに幅広とし、下縁を表面シート１とともにウェルダー溶着９して、掛止片１０ａ，１０ｂの背面側を書類Ｓの縦入れ用に区分けしたものである。
図１０は背面シート２の下方に張り出す延長部８を２度折りしてウェルダー溶着９することで切手などの小片を収納できるポケット掛止片１０ｄとしたものである。前記した掛止片のいずれかと組み合わせることもある。
どの掛止片も延長部または同質の裁断片１０のいずれでも形成することができる。
【実施例２】
【００１７】
図１１は第２実施例を示すもので、表，背面シート１，２間に中間シート１２を挟入し固定してクリアファイル７の挟み入れポケットを２つに分け、背面シート２と中間シート１２のそれぞれの垂直端縁６のずれた位置にインデックスを兼ねた掛止片１０ａ，１０ｂを形成する。中間シート１２を２枚以上に増設するときは前例にならって掛止片１０ａ，１０ｂをずらして形成するのである。その他の構成と作用は前例と同じである。
【実施例３】
【００１８】
図７は第３実施例を示すもので、背面シート２の上側の水平端縁５に掛止片１０ａ，１０ｂを形成する。中間シートを挟入し固定することなど、その他の構成と作用は前例と同じである。
【産業上の利用可能性】
【００１９】
本考案はインデックスを兼ねた掛止片の構造を強化するとともに掛止圧を強化増大することで、書類等の持ち運び，整理用にクリアファイルは広く利用されるものとなる。
【符号の説明】
【００２０】
１は表面シート
２は背面シート
３は下角
４は上角
５は水平端縁
６は垂直端縁
７はクリアファイル
８は延長部
９はウェルダー溶着
１０ａは延長部の折り返し重ねとウェルダー溶着により形成する掛止片
１０はクリアファイルと同質の断裁片
１０ｂは裁断片の当て重ねとウェルダー溶着により形成する掛止片
１０ｃは連結片
１０ｄはポケット掛止片
１１はインデックスシール
１２は中間シート
【図１】
0003183118.tif 000003
【図２】
0003183118.tif 000004
【図３】
0003183118.tif 000005
【図４】
0003183118.tif 000006
【図５】
0003183118.tif 000007
【図６】
0003183118.tif 000008
【図７】
0003183118.tif 000009
【図８】
0003183118.tif 000010
【図９】
0003183118.tif 000011
【図１０】
0003183118.tif 000012
【図１１】
0003183118.tif 000013
【図１２】
0003183118.tif 000014